(57)【要約】【課題】秘匿情報を被覆することなく、受取人に安全かつ正確に情報を提供する情報記録シートを提供する。【解決手段】基材シート１０に構成したカムフラージュパターン印刷区画領域１１の一部を、切り取り予定区画線２０にミシン加工を周設することにより、切り離し可能な領域とする。カムフラージュパターン印刷区画領域１１を半透明なカバーフィルム１３で被覆する際、ミシン加工周設内部１１ａとは弱粘着層１２ａを介して剥離可能に接着させ、ミシン加工周設外部１１ｂとは強粘着層１２ｂを介して剥離不可能に接着させる。さらに情報１４を、カムフラージュパターン印刷区画領域１１との関係で視認できないパターンで構成し、半透明なカバーフィルム１３上のミシン加工周設内部１１ａに対応した部分に配置する。切り離し可能な領域を剥離すると、半透明なカバーフィルム１３上の情報１４が現出する。【選択図】  図３
2005022346.tif 000002
【特許請求の範囲】
【請求項１】
基材シートの少なくとも一つの印刷区画領域をカムフラージュパターンで構成し、前記カムフラージュパターン印刷区画領域の一部を切り離し可能な領域とし、前記カムフラージュパターン印刷区画領域を透明または半透明なカバーフィルムで被覆し、前記切り離し可能な領域を前記カバーフィルムに透明または半透明な弱粘着部を介して剥離可能に接着し、前記カムフラージュパターン印刷区画領域の切り離し可能な領域を除いた部分を前記カバーフィルムに透明または半透明な強粘着部を介して剥離不能に接着し、前記フィルムの切り離し可能領域に対応した部分にカムフラージュパターンとの関係で視認できないパターンで構成された秘匿情報を記録し、切り離し可能な領域を剥離することで、カバーフィルムに記録された秘匿情報が現出する秘匿情報記録シート。
【請求項２】
基材シートの少なくとも一つの区画領域をカムフラージュパターンで印刷する工程と、前記カムフラージュパターン印刷区画領域の一部に切り離し可能な領域を設ける工程と、前記カムフラージュパターン印刷区画領域を透明または半透明なカバーフィルムで被覆し、前記切り離し可能な領域を前記カバーフィルムに透明または半透明な弱粘着部を介して剥離可能に接着し、前記カムフラージュパターン印刷区画領域の切り離し可能な領域を除いた部分を前記カバーフィルムに透明または半透明な強粘着部を介して剥離不能に接着する工程からなる情報記録シートと、さらに前記カバーフィルムの切り離し可能領域に対応した部分にカムフラージュパターンとの関係で視認できないパターンで構成された秘匿情報を記録する工程からなることを特徴とした秘匿情報記録シートの製造方法。
【発明の詳細な説明】
【０００１】
【産業上の利用分野】本発明は暗証番号をはじめとする個人情報や抽選番号、ならびにアタリハズレなどの秘匿情報を被覆することなく前記部をカムフラージュし、受取人が必要時にカムフラージュパターン印刷区画領域を剥離することで秘匿情報が現出する秘匿情報記録シートに関するものである。
【０００２】
【従来の技術】近年においてはインターネットのめざましい発達とともに、インターネットサービスプロバイダ（以下ＩＳＰ）への加入後の登録情報やネットへの暗証番号通知が書類として送付されることが多くなっている。また、顧客個人ごとに抽選番号を設定した葉書などをダイレクトメールとして郵送することは顧客の来店を促進するための手段として、広く認知されている。同様に任意の来店者に個別番号を被覆したスクラッチシートを配布したりする場合もある。しかしながら、前者の個別情報はプライバシーの保護という観点からも秘匿して送付しなければならず、後者においてはその商品性から顧客の興味を促進させるという意味で同様に秘匿されていなければならない。
【０００３】個別情報を通知する手段としては、主として封書や葉書などの形態で受取人に郵送することが多い。例えば封書の場合は個別情報を記録した用紙を定形封筒に入れて郵送する方法がある。同様に葉書であれば、個別情報記録部に隠蔽ラベルを積層させる方法（特願昭６３−４２１４１号公報）や、所定の圧力で加圧接着する接着剤をあらかじめ塗布した用紙に個別情報を記録し、個別情報面を隠蔽するように２つ折または３つ折後加圧接着して郵送する方法（特開平４−１２６２９９号公報）が提案されている。また任意の顧客に配布するスクラッチシートの場合は個別情報を記録した面上に剥離性のあるニスを塗布し、さらにその上面に被覆用のスクラッチインキを塗布する方法（実告昭４４−１２０９４号公報）が提案されている。
【０００４】
【発明が解決しようとする課題】しかしながら封書は封緘していることもあり、秘匿性という面では葉書よりも優れているものの、郵送料金が高くなるというコスト的デメリットを有している。また、前述の隠蔽ラベルや感圧接着シート、スクラッチシートを使用する方法において共通しているのは情報を印刷する工程の後に隠蔽する工程があるという点であり、隠蔽する工程で不良が発生した場合その特定情報を抽出し、再印刷後に隠蔽しなければならなかった。とくに特定情報は重複してはならないため、その無効になった不良品の損紙管理が非常に煩雑になるという欠点もあった。
【０００５】本発明はこれらを鑑み、個別情報を被覆することなく、受取人に安全かつ正確に情報を提供する情報記録シートを提供することを目的とする。
【０００６】
【課題を解決するための手段】この目的を達成するために本発明は、基材シートの少なくとも一つの印刷区画領域をカムフラージュパターンで構成し、前記カムフラージュパターン印刷区画領域の一部を切り離し可能な領域とし、前記カムフラージュパターン印刷区画領域を透明または半透明なカバーフィルムで被覆し、前記切り離し可能な領域を前記カバーフィルムに透明または半透明な弱粘着部を介して剥離可能に接着し、前記カムフラージュパターン印刷区画領域の切り離し可能な領域を除いた部分を前記カバーフィルムに透明または半透明な強粘着部を介して剥離不能に接着し、前記カバーフィルムの切り離し可能領域に対応した部分にカムフラージュパターンとの関係で視認できないパターンで構成された秘匿情報を記録し、切り離し可能な領域を剥離することで、カバーフィルムに記録された情報が現出する秘匿情報記録シートを提供するものである。ここで「透明」とは、透き通っていることを意味し、無色透明のみではなく、有色透明、半透明などを含む概念である。
【０００７】
【作用】本発明においてはカムフラージュ印刷区画領域を透明なカバーフィルム、より好ましくは半透明なカバーフィルムで被覆し、透明または半透明な弱粘着部を介して剥離可能に接着し、前記カバーフィルムの切り離し可能領域に対応した部分に視認できないように秘匿情報を記録することで、情報記録部を被覆することなく、前記カムフラージュパターン印刷区画領域の切り離し可能領域を切り離し、剥離することで秘匿情報が現出し、受取人に安全かつ正確に情報提供することが可能である。
【０００８】実施例
図１は本発明における情報記録シート１の平面図である。
図２は本発明における情報記録シート１の分解斜視図である。
図３は本発明における情報記録シート１のＡ−Ａ断面図の１例である。図４は本発明における情報記録シート１のＡ−Ａ断面図の別例である。図２において基材シート１０上にはカムフラージュパターン印刷区画領域１１を設けている。カムフラージュパターン印刷区画領域は一般的なオフセット印刷・凸版印刷・グラビア印刷・シルクスクリーン印刷のほか、電子写真式印刷・インクジェット式印刷など適宜採用すればよい。ここでカムフラージュパターンは人間の目を錯覚させるような図柄を適宜選択すればより好ましい。
【０００９】前記カムフラージュパターン印刷区画領域１１の切り離し可能領域は切り取り予定区画線２０に例えばミシン加工を周設すればよく、さらには切り外しやすいミシン比を選択するほうが好ましい。
【００１０】図３においては半透明なカバーフィルム１３と前記カムフラージュパターン印刷区画領域１１のミシン加工周設内部１１ａとは透明または半透明な弱粘着層１２ａを介して剥離可能に接着させることで弱粘着部を形成し、ミシン加工周設外部１１ｂとは強粘着層１２ｂを介して剥離不能に接着させることで強粘着部を形成している。弱粘着部は前述カムフラージュパターン印刷区画領域が破損しない程度で接着していれば良い。接着するための粘着剤は一般的に酢酸ビニル・アクリル酸エステル・天然ゴムなどを主成分としたエマルジョン系の水性粘着剤やホットメルト粘着剤を適宜用途に応じて取り扱うことが可能である。
【００１１】同様に図４においては半透明なカバーフィルム１３と前記カムフラージュパターン印刷区画領域１１の少なくともミシン加工周設内部１１ａとは半透明なカバーフィルム１３の下面全面に設けた強粘着層１２ｂと透明または半透明な剥離層１５を介して剥離可能に接着させることで弱粘着部を形成するとともに、ミシン加工周設外部１１ｂとは強粘着層１２ｂを介して剥離不能に接着させることで強粘着部を形成している。
【００１２】さらに情報１４は半透明なカバーフィルム１３の上面に配置されている。あらかじめ半透明なカバーフィルム１３に情報１４を記録する場合においてはカバーフィルム１３の下面に配置しても良い。また基材シート１０に半透明なカバーフィルム１３を接合した後に記録しても良い。情報は受取人特定の個別情報であることが多いため、記録方式としては電子写真式・インクジェット式・感熱式・熱転写式など適宜選択すれば良い。
【００１３】情報１４は英数字などの文字情報であることが多く、そのまま印刷するとカムフラージュパターン印刷区画領域が背景にあっても、識別可能である。よって人に認識しにくくするために、文字情報自体を平網で構成すると、より一層判読しにくくなる。平網は１０〜９０％が使用できるが、３０〜５０％の平網を用いればカムフラージュパターン印刷区画領域を背景とした場合に、より好ましく情報が潜像化し見えにくくすることが可能になる。また情報１４とカムフラージュパターン印刷区画領域１１の色相が異なると潜像化しにくいため、同一系統の色相を選択すれば、より一層判別不可能となる。
【００１４】上記カバーフィルムは安価であることはもちろん、入手しやすく、透明性が高く、有色透明又は無色透明にしやすいポリエチレンテレフタレート、ポリエチレン、ポリプロピレン、ポリ塩化ビニル、ポリスチレン及びポリカーボネートなどから選択すればよい。また用途に応じて２種以上の合成樹脂から構成してもよい。ただし、上記カバーフィルムの記録面は前述記録方式に応じた表面処理を施しておくことが望ましい。
【００１５】
【発明の効果】以上説明したように、基材シートの少なくとも一つの印刷区画領域をカムフラージュパターンで構成し、前記カムフラージュパターン印刷区画領域の一部を切り離し可能な領域とし、前記カムフラージュパターン印刷区画領域を透明または半透明なカバーフィルムで被覆し、前記切り離し可能な領域を前記カバーフィルムに透明または半透明な弱粘着部を介して剥離可能に接着し、前記カムフラージュパターン印刷区画領域の切り離し可能な領域を除いた部分を前記カバーフィルムに透明または半透明な強粘着部を介して剥離不能に接着し、前記カバーフィルムの切り離し可能領域に対応した部分にカムフラージュパターンとの関係で視認できないパターンで構成された秘匿情報を記録し、切り離し可能な領域を剥離することで、カバーフィルム上の秘匿情報が現出する秘匿情報記録シートを提供することによって、はがきの一部として使用すれば郵送料金を削減することが可能になる。また本発明の秘匿情報記録シートを用いれば、秘匿情報は被覆することなく、情報記録シートに印字するだけでよいため、不良が発生した場合その特定情報のみを重複することなく、抽出し、再印字することが可能になり、煩雑な不良品の損紙管理をすることがなくなるという有益な効果を奏することができる。
【図面の簡単な説明】
【図１】情報記録シート１の平面図である。
【図２】情報記録シート１の分解斜視図である。
【図３】情報記録シート１のＡ−Ａ断面図の一例である。
【図４】情報記録シート１のＡ−Ａ断面図の別例である。
【符号の説明】
１０                基材シート
１１                カムフラージュパターン印刷区画領域
１１ａ              ミシン加工周設内部
１１ｂ              ミシン加工周設外部
２０                切り取り予定区画線
１２ａ              弱粘着層
１２ｂ              強粘着層
１３                半透明なカバーフィルム
１４                秘匿情報
１５                剥離層
【図１】
2005022346.tif 000003
【図２】
2005022346.tif 000004
【図３】
2005022346.tif 000005
【図４】
2005022346.tif 000006